(57)【特許請求の範囲】
【請求項１】
番組毎に区分された番組セルを時間軸とチャンネル軸の２次元に配列した番組表を表示する番組ガイド表示装置において、
現在時刻が放送時間に含まれる番組を検索する放送番組検索手段と、
前記放送番組検索手段により検索された番組のうち、最も早く終了する番組の終了時刻を最早終了時刻として記憶する最早終了時刻記憶手段と、
現在時刻が前記最早終了時刻記憶手段により記憶された最早終了時刻以上であるか否かを判別する最早終了時刻判別手段と、
前記最早終了時刻判別手段により現在時刻が前記最早終了時刻以上であると判別された場合には、前記最早終了時刻を前記番組表の表示先頭時刻として前記番組セルを表示する番組セル表示手段と、
を備え、
前記番組セル表示手段は、前記最早終了時刻を前記番組表の表示先頭時刻として前記番組セルを表示する場合に、前記表示先頭時刻が放送時間に含まれる番組の番組セルのうち、その時間軸方向の幅が番組情報を表示できない番組セルを検索し、当該検索された番組セルの時間軸方向の幅を調整することを特徴とする番組ガイド表示装置。
【請求項２】
番組毎に区分された番組セルを時間軸とチャンネル軸の２次元に配列した番組表を表示する番組ガイド表示装置において、
現在時刻が放送時間に含まれる番組を検索する放送番組検索手段と、
前記放送番組検索手段により検索された番組のうち、最も早く終了する番組の終了時刻を最早終了時刻として記憶する最早終了時刻記憶手段と、
現在時刻が前記最早終了時刻記憶手段により記憶された最早終了時刻以上であるか否かを判別する最早終了時刻判別手段と、
前記最早終了時刻判別手段により現在時刻が前記最早終了時刻以上であると判別された場合には、前記最早終了時刻を前記番組表の表示先頭時刻として前記番組セルを表示する番組セル表示手段と、
前記表示先頭時刻が現在時刻より所定時間以上過去であるか否かを判別する表示先頭時刻判別手段と、
を備え、
前記先頭表示時刻判別手段により前記表示先頭時刻が現在時刻より所定時間以上過去であると判別された場合には、前記番組セル表示手段は、前記表示先頭時刻を所定時間進めて前記番組セルを表示することを特徴とする番組ガイド表示装置。
【請求項３】
請求項１又は２に記載の番組ガイド表示装置において、
最初の前記番組表を表示する場合において、前記番組セル表示手段は、現在時刻を前記番組表の表示先頭時刻として前記番組セルを表示することを特徴とする番組ガイド表示装置。
【請求項４】
請求項３に記載の番組ガイド表示装置において、
前記番組セル表示手段は、現在時刻を前記番組表の表示先頭時刻として前記番組セルを表示する場合に、前記表示先頭時刻が放送時間に含まれる番組の番組セルのうち、その時間軸方向の幅が番組情報を表示できない番組セルを検索し、当該検索された番組セルの時間軸方向の幅を調整することを特徴とする番組ガイド表示装置。
【請求項５】
番組毎に区分された番組セルを時間軸とチャンネル軸の２次元に配列した番組表を表示する番組ガイド表示方法において、
現在時刻が放送時間に含まれる番組を検索する放送番組検索工程と、
前記検索された番組のうち、最も早く終了する番組の終了時刻を最早終了時刻として記憶する最早終了時刻記憶工程と、
現在時刻が前記記憶された最早終了時刻以上であるか否かを判別する最早終了時刻判別工程と、
現在時刻が前記最早終了時刻以上であると判別された場合には、前記最早終了時刻を前記番組表の表示先頭時刻として前記番組セルを表示する番組セル表示工程と、
を備え、
前記最早終了時刻が前記番組表の表示先頭時刻として前記番組セルが表示される場合に、前記表示先頭時刻が放送時間に含まれる番組の番組セルのうち、その時間軸方向の幅が番組情報を表示できない番組セルを検索し、当該検索された番組セルの時間軸方向の幅を調整することを特徴とする番組ガイド表示方法。
【請求項６】
番組毎に区分された番組セルを時間軸とチャンネル軸の２次元に配列した番組表を表示する番組ガイド表示方法において、
現在時刻が放送時間に含まれる番組を検索する放送番組検索工程と、
前記検索された番組のうち、最も早く終了する番組の終了時刻を最早終了時刻として記憶する最早終了時刻記憶工程と、
現在時刻が前記記憶された最早終了時刻以上であるか否かを判別する最早終了時刻判別工程と、
現在時刻が前記最早終了時刻以上であると判別された場合には、前記最早終了時刻を前記番組表の表示先頭時刻として前記番組セルを表示する番組セル表示工程と、
前記表示先頭時刻が現在時刻より所定時間以上過去であるか否かを判別する表示先頭時刻判別工程を、
を備え、
前記表示先頭時刻が現在時刻より所定時間以上過去であると判別された場合には、前記表示先頭時刻を所定時間進めて前記番組セルを表示することを特徴とする番組ガイド表示方法。
【請求項７】
請求項５又は６に記載の番組ガイド表示方法において、
最初の前記番組表が表示される場合において、現在時刻が前記番組表の表示先頭時刻として前記番組セルが表示されることを特徴とする番組ガイド表示方法。
【請求項８】
請求項７に記載の番組ガイド表示方法において、
現在時刻が前記番組表の表示先頭時刻として前記番組セルが表示される場合に、前記表示先頭時刻が放送時間に含まれる番組の番組セルのうち、その時間軸方向の幅が番組情報を表示できない番組セルを検索し、当該検索された番組セルの時間軸方向の幅を調整することを特徴とする番組ガイド表示方法。
【発明の詳細な説明】
【０００１】
【発明の属する技術分野】
本発明は、ＴＶディスプレイ上に電子番組ガイド（ＥＰＧ：Ｅｌｅｃｔｒｏｎｉｃ  Ｐｒｏｇｒａｍ  Ｇｕｉｄｅ）を表示する電子番組ガイド表示装置及び表示方法に関する。
【０００２】
【従来の技術】
近年、放送衛星、通信衛星などの人工衛星を介して、ディジタル化したテレビジョン信号を伝送し、各家庭においてこれを受信してテレビ番組を視聴するディジタル放送システムが運用されている。この種のシステムでは、多くのチャンネルを確保することができるので、非常に多数の番組を放送することができる。
【０００３】
また、この種のシステムでは、多数の番組の放送内容を示すＥＰＧに関する情報を番組の映像・音声情報と共に衛星から各家庭の受信機へ送信する。各家庭では、ユーザが受信機を操作してこのＥＰＧをＴＶディスプレイ上に表示させ、見たい番組を探すことができる。このＥＰＧ画面には、番組毎に区分された番組セルを時間軸とチャンネル軸の２次元に配列した番組表が表示されるとともに、上記番組セルは、例えば、現在時刻に応じて時間軸方向（番組表の上部）に、１時間或いは、３０分単位でシフトされる。また、この番組セル内には、例えば、番組のタイトル、番組の内容などの番組情報が表示される。
【０００４】
図１２は、従来のＥＰＧ画面例を示すものである。図１２の例では、時間軸方向の表示単位は１時間であり、表示時間帯は午前７時００分〜９時５９分である。いま、現在時刻が午前７時５６分であるものと仮定すると、図１２に示すように、既に放送が終了した番組（「番組1-1」、「番組2-1」、「番組3-1」、「番組4-1」）の番組セルまでもが表示されることになる。また、放送が終了した番組の番組情報は、放送規格によっては送出されなくなるため、単なる空白となる場合もあり得る。
【０００５】
【発明が解決しようとする課題】
しかしながら、ＥＰＧの限られた表示領域の相当な部分が、上記のように既に終了した番組によって占められることになるのは、ユーザの視認性、使いやすさといった面で問題がある。
【０００６】
かかる問題を解決するため、例えば、時間軸方向の表示単位を１分などと短くして表示する方法が考えられる。図１３は、時間軸方向の表示単位を１分とした場合のＥＰＧ画面例を示すものである。この場合、上記問題は解消されるが、図１３に示すように、現在放送中の番組の番組セルの時間軸方向の幅（番組セルの高さ）が不足している場合には、かかる番組セル内に番組情報を表示することができず、また、番組セルの表示が１分毎にシフト（移動）するため、見づらいという欠点がある。
【０００７】
本発明は、以上の問題点に鑑みてなされたものであり、ユーザの視認性、利便性の高い番組ガイド表示装置および番組ガイド表示方法を提供することを目的とする。
【０００８】
【課題を解決するための手段】
上記の課題を解決するため、請求項１記載の発明は、番組毎に区分された番組セルを時間軸とチャンネル軸の２次元に配列した番組表を表示する番組ガイド表示装置において、現在時刻が放送時間に含まれる番組を検索する放送番組検索手段と、前記放送番組検索手段により検索された番組のうち、最も早く終了する番組の終了時刻を最早終了時刻として記憶する最早終了時刻記憶手段と、現在時刻が前記最早終了時刻記憶手段により記憶された最早終了時刻以上であるか否かを判別する最早終了時刻判別手段と、前記最早終了時刻判別手段により現在時刻が前記最早終了時刻以上であると判別された場合には、前記最早終了時刻を前記番組表の表示先頭時刻として前記番組セルを表示する番組セル表示手段と、を備え、前記番組セル表示手段は、前記最早終了時刻を前記番組表の表示先頭時刻として前記番組セルを表示する場合に、前記表示先頭時刻が放送時間に含まれる番組の番組セルのうち、その時間軸方向の幅が番組情報を表示できない番組セルを検索し、当該検索された番組セルの時間軸方向の幅を調整するように構成する。
【０００９】
請求項１記載の発明によれば、現在時刻が放送時間に含まれる番組が検索される（但し、現在時刻と終了時刻が一致する番組は除く）。次いで、検索された番組のうち、最も早く終了する番組の終了時刻が最早終了時刻として記憶される。次に、現在時刻が前記記憶された最早終了時刻以上であるか否かが判別される。そして、現在時刻が前記最早終了時刻以上であると判別された場合には、前記最早終了時刻が前記番組表の表示先頭時刻として前記番組セルが表示される。そして、前記最早終了時刻を前記番組表の表示先頭時刻として前記番組セルを表示する場合に、前記表示先頭時刻が放送時間に含まれる番組の番組セルのうち、その時間軸方向の幅が番組情報を表示できない番組セルが検索され、当該検索された番組セルの時間軸方向の幅が調整される。従って、表示先頭時刻が放送時間に含まれる番組の番組セルのうち、その時間軸方向の幅が番組情報を表示できない番組セルがある場合にも、その番組セルの時間軸方向の幅の調整することにより、セル内に番組情報を表示することができるようになるので、より一層、ユーザの視認性、利便性を向上させることができる。
【００１０】
請求項２記載の発明は、番組毎に区分された番組セルを時間軸とチャンネル軸の２次元に配列した番組表を表示する番組ガイド表示装置において、現在時刻が放送時間に含まれる番組を検索する放送番組検索手段と、前記放送番組検索手段により検索された番組のうち、最も早く終了する番組の終了時刻を最早終了時刻として記憶する最早終了時刻記憶手段と、  現在時刻が前記最早終了時刻記憶手段により記憶された最早終了時刻以上であるか否かを判別する最早終了時刻判別手段と、前記最早終了時刻判別手段により現在時刻が前記最早終了時刻以上であると判別された場合には、前記最早終了時刻を前記番組表の表示先頭時刻として前記番組セルを表示する番組セル表示手段と、前記表示先頭時刻が現在時刻より所定時間以上過去であるか否かを判別する表示先頭時刻判別手段と、を備え、前記先頭表示時刻判別手段により前記表示先頭時刻が現在時刻より所定時間以上過去であると判別された場合には、前記番組セル表示手段は、前記表示先頭時刻を所定時間進めて前記番組セルを表示するように構成する。
【００１１】
請求項２記載の発明によれば、表示先頭時刻と最早終了時刻との時間差が大きい場合にも、適宜、表示先頭時刻を進めることができるので、より一層、ユーザの視認性、利便性を向上させることができる。
【００１６】
請求項３記載の発明は、請求項１又は２に記載の番組ガイド表示装置において、最初の前記番組表を表示する場合において、前記番組セル表示手段は、現在時刻を前記番組表の表示先頭時刻として前記番組セルを表示するように構成する。
【００１７】
請求項３記載の発明によれば、最初に表示される番組表においても、既に放送が終了した番組の番組セルの表示を防止することができる。
【００１８】
請求項４記載の発明は、請求項３に記載の番組ガイド表示装置において、前記番組セル表示手段は、現在時刻を前記番組表の表示先頭時刻として前記番組セルを表示する場合に、前記表示先頭時刻が放送時間に含まれる番組の番組セルのうち、その時間軸方向の幅が番組情報を表示できない番組セルを検索し、当該検索された番組セルの時間軸方向の幅を調整するように構成する。
【００１９】
請求項４記載の発明によれば、最初に表示される番組表においても、時間軸方向の幅が番組情報を表示できない番組セルがある場合に、セル内に番組情報を表示することができる。
【００２０】
請求項５記載の発明は、番組毎に区分された番組セルを時間軸とチャンネル軸の２次元に配列した番組表を表示する番組ガイド表示方法において、現在時刻が放送時間に含まれる番組を検索する放送番組検索工程と、前記検索された番組のうち、最も早く終了する番組の終了時刻を最早終了時刻として記憶する最早終了時刻記憶工程と、現在時刻が前記記憶された最早終了時刻以上であるか否かを判別する最早終了時刻判別工程と、現在時刻が前記最早終了時刻以上であると判別された場合には、前記最早終了時刻を前記番組表の表示先頭時刻として前記番組セルを表示する番組セル表示工程と、を備え、前記最早終了時刻が前記番組表の表示先頭時刻として前記番組セルが表示される場合に、前記表示先頭時刻が放送時間に含まれる番組の番組セルのうち、その時間軸方向の幅が番組情報を表示できない番組セルを検索し、当該検索された番組セルの時間軸方向の幅を調整するように構成する。
【００２１】
請求項５記載の発明によれば、請求項１に記載の発明と同様の効果を得ることができる。
【００２２】
請求項６記載の発明は、番組毎に区分された番組セルを時間軸とチャンネル軸の２次元に配列した番組表を表示する番組ガイド表示方法において、現在時刻が放送時間に含まれる番組を検索する放送番組検索工程と、前記検索された番組のうち、最も早く終了する番組の終了時刻を最早終了時刻として記憶する最早終了時刻記憶工程と、現在時刻が前記記憶された最早終了時刻以上であるか否かを判別する最早終了時刻判別工程と、現在時刻が前記最早終了時刻以上であると判別された場合には、前記最早終了時刻を前記番組表の表示先頭時刻として前記番組セルを表示する番組セル表示工程と、前記表示先頭時刻が現在時刻より所定時間以上過去であるか否かを判別する表示先頭時刻判別工程を、を備え、前記表示先頭時刻が現在時刻より所定時間以上過去であると判別された場合には、前記表示先頭時刻を所定時間進めて前記番組セルを表示するように構成する。
【００２３】
請求項６記載の発明によれば、請求項２に記載の発明と同様の効果を得ることができる。
【００２６】
請求項７記載の発明は、請求項５又は６に記載の番組ガイド表示方法において、最初の前記番組表が表示される場合において、現在時刻が前記番組表の表示先頭時刻として前記番組セルが表示されるように構成する。
【００２７】
請求項７記載の発明によれば、請求項３に記載の発明と同様の効果を得ることができる。
【００２８】
請求項８記載の発明は、請求項７に記載の番組ガイド表示方法において、現在時刻が前記番組表の表示先頭時刻として前記番組セルが表示される場合に、前記表示先頭時刻が放送時間に含まれる番組の番組セルのうち、その時間軸方向の幅が番組情報を表示できない番組セルを検索し、当該検索された番組セルの時間軸方向の幅を調整するように構成する。
【００２９】
請求項８記載の発明によれば、請求項４に記載の発明と同様の効果を得ることができる。
【００３０】
【発明の実施の形態】
以下、図面を参照して本発明の好適な実施の形態について説明する。なお、以下の説明は、衛星ディジタル放送受信機に対して本発明にかかる番組ガイド表示装置を適用した場合の実施形態である。
［１］受信機の構成
図１に、本発明の一実施形態にかかる衛星ディジタル放送受信機の構成を示す。図１に示す衛星ディジタル放送受信機１は、視聴者の家庭に配置され、衛星からのディジタル放送信号（放送波）を受信してテレビジョン（ＴＶ）番組を受信機１のディスプレイ２２上に表示する。また、同時に衛星から送られる電子番組ガイド（ＥＰＧ）に関する情報を受信し、視聴者の指示に応じてディスプレイ２２上に表示させる機能を有する。
【００３１】
図１に示すように、受信機１は、バス２に種々の要素が接続された構成を有する。また、受信機１は、操作装置としての付属のリモコン１２により操作可能である。
【００３２】
衛星から送信された放送波（ＢＳ−ＲＦ信号）は、アンテナ３により受信され、受信機１内のチューナ４へ送られる。この放送波には、ＴＶ番組の映像・音声情報（以下、「ＴＶ番組情報」と呼ぶ。）の他に、ＥＰＧの表示のために使用される情報（ＳＩ：Ｓｅｒｖｉｃｅ  Ｉｎｆｏｒｍａｔｉｏｎ番組配列情報）が含まれている。チューナ４は、ユーザの選択した受信帯域に同調し、受信した信号波をＩＦ（中間周波数）信号に変換し、復調処理部５へ送る。復調処理部５は、入力されたディジタル信号を復調し、データフレームの再構成及び誤り訂正などの必要な処理を施し、ＭＰＥＧ２のトランスポートストリーム（ＴＳ：Ｔｒａｎｓｐｏｒｔ  Ｓｔｒｅａｍ）形式でデータをデマルチプレクサ６へ供給する。
【００３３】
デマルチプレクサ６は、入力されたＭＰＥＧ２のＴＳから、指定されたサービスの音声データと映像データとを抽出し、それぞれオーディオデコーダ１０とビデオデコーダ８とへ供給する。ここで、音声データはＭＰＥＧ２−ＡＡＣ形式であり、映像データはＭＰＥＧ２−Ｖｉｄｅｏ形式である。オーディオデコーダ１０は、入力された音声データを復号化して番組音声データを生成し、これを音声処理部１１へ供給する。音声処理部１１は、アンプを含み、所定の音声信号処理を行って音声出力を生成し、スピーカ２１に出力する。
【００３４】
一方、ビデオデコーダ８は、映像データを復号して番組映像データを生成し、これをディスプレイプロセッサ９へ供給する。ディスプレイプロセッサ９は、入力された番組映像データに所定の処理を施して、映像出力を生成する。また、ディスプレイプロセッサ９は、ディスプレイ２２上に表示される番組映像上に文字情報などを重畳させる機能を有する。後に述べるＥＰＧ表示用データ及び座標データは、このディスプレイプロセッサ９により番組映像データ上に重畳され、または番組映像データと置き換えられて出力され、ディスプレイ２２上に表示される。
【００３５】
また、デマルチプレクサ６は、入力されたＭＰＥＧ２のＴＳからＳＩを含む制御データを抽出する。ＳＩはＥＰＧ表示用データ及び座標データの元になる情報であり、ＥＰＧ表示処理及び領域表示処理はＳＩを利用して行われる。デマルチプレクサ６が抽出した、ＳＩを含む制御データは、ＣＰＵ１７の制御下において記憶手段としてのＲＡＭ１６内に記憶される。従って、ＣＰＵ１７は複数の番組の少なくとも番組名、開始時刻、番組の長さ又は終了時刻、放送チャンネル、放送日の情報を含む番組情報を取得する番組情報取得手段としての機能を備えている。
【００３６】
さらに、ＲＡＭ１６には、ＥＰＧ表示を行うためのＥＰＧテキストデータが記憶されている。フラッシュメモリ１４はＥＰＧの表示を行う際に必要な種々のグラフィックデータ（番組表の枠、放送チャンネルのロゴマークなどの所定マークなど）を記憶し、ＲＯＭ１５はＥＰＧ用テキストデータとして使用されるフォントデータなどを記憶している。
【００３７】
限定受信処理部２０は以下の処理を行う。事前契約型の限定放送はサービス単位または番組単位で行われ、対象となるＭＰＥＧ２のＴＳが暗号化され送信される。限定受信処理部２０は、暗号解読処理部（図示せず）と、契約情報を記録し視聴判定を行うＩＣカード（図示せず）から構成される。このＩＣカードは放送事業者共同運営のサービスセンターから各受信機ユーザへ配布される。このカードにはユーザと各放送事業者との契約状況に応じてユーザ契約情報が記載されており、一般にユーザ毎にその記載内容が異なる。ユーザが限定放送番組を選択した場合、限定受信処理部２０はユーザ契約情報と放送波から得られる暗号解読関連情報の双方を用い、ユーザが契約している場合にはＭＰＥＧ２のＴＳの暗号解読を行い、ユーザはこの番組を視聴できる。一方、非契約の場合にはＭＰＥＧ２のＴＳの暗号解読は行われず、ユーザはこの限定放送番組を視聴できない。
【００３８】
また、ペイ・パー・ビュー（Ｐａｙ  Ｐｅｒ  Ｖｉｅｗ）番組の場合には、ユーザが番組を購入する度にＩＣカードに購入状況が記載され、一定期間毎に受信機側からモデム１８、公衆回線を介して放送配信事業者側へペイ・パー・ビュー番組購入情報を送信する。
【００３９】
ユーザがリモコン１２を使用して入力した指示はインターフェース１３を介してＣＰＵ１７に送られ、認識される。ＣＰＵ１７は、ユーザの指示に従って受信機１内の各要素を制御する。例えば、ＣＰＵ１７は、ユーザが指定したチャンネルの周波数に同調するための指示をチューナ４に送る制御を行う。また、ＣＰＵ１７は、ＥＰＧ画面をディスプレイ２２に表示するための機能を有するとともに、本発明の最近開始番組検索手段、番組セル表示手段、最早終了番組検索手段、終了時刻経過判別手段、放送終了番組判別手段としての機能を有する。なお、本発明の特徴部分である最近開始番組検索手段、番組セル表示手段、最早終了番組検索手段、終了時刻経過判別手段、放送終了番組判別手段としての機能の説明は後述する。
【００４０】
バス２にはモデム１８を介して公衆回線が接続されており、ユーザ宅の電話やパソコンなどと接続し、放送局と視聴者家庭との間の必要な通信を行う。
［２］信号フォーマット
図２に、ＥＰＧ表示データの元になるデータとして衛星から送信されるディジタル信号のデータ形式を概略的に示す。図２に示すように、衛星ディジタル放送システムでは、複数のＢＳチャンネル（帯域）が設定され、各ＢＳチャンネル毎に最大８つのＭＰＥＧ２のＴＳを送信することができる。また、１つのＴＳにより最大３２のサービスを送信することが可能である。なお、以下の説明において、衛星放送における周波数帯域の場合を「ＢＳチャンネル」と呼び、受信機１が受信する各放送番組のチャンネルと区別する。
【００４１】
各ＴＳ中には、映像・音声などの情報中に全局ＳＩが多重されている。全局ＳＩとは、全ての放送局分のＳＩであり、全てのチャンネルの分の番組配列情報を含んでいる。つまり、同一の内容の全局ＳＩが全てのＢＳチャンネルの全てのＴＳに多重されて送信されている。これにより、視聴者はどの放送局のどのチャンネルを受信している時でも、そのチャンネルのＴＳに含まれる全局ＳＩを取得することにより、全チャンネル分のＥＰＧデータを作成することができる。具体的には、図１に示すＣＰＵ１７が、デマルチプレクサ６を制御して現在受信中のＴＳから全局ＳＩを取得し、これに基づいてＥＰＧテキストデータを作成することになる。
【００４２】
また、図２の下部には各ＴＳ中の映像・音声データの形式を示している。先ほど、１つのＴＳあたり最大３２サービスを送信可能であると述べたが、それら複数のサービスは１つのＴＳ内にパケットの形態で時分割多重されている。図２に示す例では、最も下に位置するＴＳには複数の放送局のサービス（サービスＡ、Ｂ・・・）が時分割多重されている。従って、例えばサービスＡを受信するためには、ＣＰＵ１７は先ずそのＴＳを含むＢＳチャンネルに図１のチューナ４を同調させる。次に、図１の復調処理部５が、そのＢＳチャンネルに含まれる複数のＴＳから目的のＴＳを特定、抽出し、さらにデマルチプレクサ６によってそのＴＳ内に時分割多重されているサービスＡをその識別情報を参照して抽出することが必要となる。
【００４３】
ここで、図２に示すように、各サービス局のデータ（サービスＡ、Ｂ・・・で示している）の頭には、そのサービスについての各局ＳＩが挿入されている。各局ＳＩは、全局ＳＩと同様の情報であるが、全局ＳＩには含まれない各局固有の情報を含んでいる。即ち、全局ＳＩはＥＰＧとして全チャンネルについての番組表を表示するのに必要な情報を含み、各局ＳＩは例えば各番組の概要などのより詳細な情報を含んでいる。従って、図１のＣＰＵ１７は、ユーザの指示に応じて各局ＳＩを取得することにより、特定のチャンネルについての概要情報を表示させることができる。
［３］ＥＰＧ画面の外観
図３に、本実施形態におけるＥＰＧ画面例を示す。図３に示すように、ＥＰＧ画面５０には、番組表表示エリア５１、時間帯表示エリア５２、チャンネル帯表示エリア５３、がそれぞれ、設けられている。また、ＥＰＧ画面５０の左側上部には、現在時刻が表示されている。
【００４４】
番組表表示エリア５１には、番組毎に区分された（枠により仕切られた）番組セル５１ａを時間軸（図３の例では、縦軸）と、チャンネル軸（図３の例では、横軸）の２次元に配列した番組表が表示されている。それぞれの番組セル５１ａ内には、番組のタイトル、番組の内容などの番組情報が表示される（図３の例では、説明の便宜上、簡略化して示している）。また、番組セル５１ａ内の左側上部には、その番組の開始時刻５１ｂが表示される。但し、番組の放送が番組表の表示先頭時刻をまたがる番組の番組セル５１ａについては、継続マーク５１ｃが表示され、番組表の表示先頭時刻の前から開始されていることを明らかにしている。また、番組セル５１ａのうち、斜線（ハッチング）で示しているものは、現在放送されている番組であることを意味している。また、番組表の最下部の番組セル５１ａ内に示された継続マーク５１ｄは、当該番組セル５１ａの番組が、番組表の表示範囲外の時間帯、ここでは、１０時３０分以降も継続していることを示している。但し、当該継続マーク５１ｄは、本発明と直接の関係がないので、以降の説明における図面には、省略することとする。
【００４５】
時間帯表示エリア５２は、時間軸方向に沿って設けられており、図３の例では、このエリア５２には、７時３０分から１０時２９分までの時間帯が表示されている。また、時間帯表示エリア５２の最上部には、番組表の表示先頭時刻５２ａが表示されている。この表示先頭時刻５２ａは、ＣＰＵ１７の処理により、適宜に変更されることになる。
【００４６】
チャンネル帯表示エリア５３は、チャンネル軸に沿って設けられており、図３の例では、このエリア５３には、チャンネル１（１ch）〜チャンネル４（４ch）までが示されている。
【００４７】
カーソル５４（図３の例では、黒太枠として表示）で示す番組セル５１ａは、ユーザにより現在選択されている番組を示している。このカーソル５４は、リモコン１２の操作により上下左右に移動させることができる。また、このカーソル５４が左端の番組セル５１ａに位置していた場合に、カーソル５４をさらに左側に移動させると、チャンネル５（５ch）以降の番組の番組セルが表示されることになる。また、このカーソル５４が下端の番組セル５１ａに位置していた場合に、カーソル５４をさらに下側に移動させると、１０時３０分以降の番組の番組セルが表示されることになる。
【００４８】
なお、図３の例では、一画面中、時間軸方向に３時間分、チャンネル軸方向に４チャンネル分の番組表を示しているが、これに限定されず、例えばより長い時間、より多くのチャンネルを一度に表示するように構成することもできる。
［４］リモコンの操作
図４は、受信機１と共に使用されるリモコン１２に配置された各種操作キーを示すものである。リモコン１２の上部に設けられた機能キーのうち、ＥＰＧキー６１は、図４に示すようなＥＰＧ画面５０を表示するためのキーである。即ち、通常の番組を視聴している状態で、ＥＰＧキー６１を押すと、ディスプレイ２２の画面は、番組画面からＥＰＧ画面５０に切り換わる。なお、ＥＰＧ画面５０を番組画面上に重畳して表示するようにしてもよい。また、ＥＰＧ画面５０が表示されている状態でＥＰＧキー６１を押すと、元の番組画面に戻る。また、ＥＳＣキー６２は、ＥＰＧ画面から番組画面へ戻るために使用される。ＢＡＣＫキー６３は、先に入力した指示を取り消して指示前の状態に戻すために使用される。また、曜日切換キー６４は、現在表示されているＥＰＧとは、別の日のＥＰＧを表示させるために使用される。
【００４９】
また、リモコン１２のほぼ中央にカーソル移動キー７１〜７４が配置され、ＥＰＧ画面５０におけるカーソル５４の位置を移動させるために使用される。例えば、図３に示すＥＰＧ画面５０の表示状態において、左方向キー７１を押すとカーソル５４は左隣りの番組セル５１ａへ移動し、右方向キー７３を押すとカーソル５４は右隣りの番組セル５１ａへ移動する。また、上方向キー７２を押すとカーソル５４は上方向へ移動し、下方向キー７４を押すとカーソル５４は下方向へ移動する。
【００５０】
但し、カーソル移動キー７１〜７４を操作してカーソル５４を移動させただけの状態では、受信機１の処理上、番組の選択は未だ確定していない。カーソル５４が移動した後、決定キー７５を押すことにより番組の選択が確定され、受信機１は、選択された番組のチャンネルに切り換えて受信を開始し、その番組の映像をディスプレイ２２に表示させることになる。
【００５１】
また、カーソル移動キー７１〜７４および、決定キー７５の下には、操作キーとしての１〜０のテンキー７６があり、テンキー７６は受信チャンネルを入力するために使用する。
【００５２】
なお、その他にも、リモコン１２には、ジャンル別にＥＰＧを表示させるために使用するジャンルキーなどが設けられているが、本発明とは直接の関係がないので説明は省略する。
［５］ＥＰＧ画面の表示処理
次に、上記受信機１の構成において行われるＣＰＵ１７のＥＰＧ画面の表示処理について、第１実施形態と第２実施形態に分けて説明する。
（第１実施形態）
図５は、第１実施形態におけるＣＰＵ１７のＥＰＧ画面の表示処理を示すフローチャートである。図６は、図５に示す表示処理によって表示されるＥＰＧ画面の一例を示す図である。
【００５３】
なお、以下の処理は、図１に示すＣＰＵ１７がＲＡＭ１６に記憶されているデータを参照し、ＲＯＭ１５に記憶されているプログラムを実行してディスプレイプロセッサ９などの各要素を制御することにより行われる。
【００５４】
先ず、ユーザは番組視聴状態にあるとする。ここで、ＣＰＵ１７は、リモコン１２のＥＰＧキー６１が押下されたか否かを判別し、押下された場合には、ＣＰＵ１７は、ＥＰＧ画面表示処理を実行する（ステップＳ１）。このＥＰＧ画面表示処理においては、ＣＰＵ１７は、ＲＡＭ１６に記憶されているＳＩを元にしてＥＰＧテキストデータを作成する。次に、ＣＰＵ１７は、フラッシュメモリ１４内に記憶されている番組表の枠データなどのグラフィックデータ、ＲＯＭ１５内のフォントデータ、ＲＡＭ１６内のＥＰＧテキストデータおよび、番組表表示面の各座標データを使用してＥＰＧ表示用データを作成する。
【００５５】
このＥＰＧ表示用データを作成するとき、ＣＰＵ１７は、番組表の表示先頭時刻を現在時刻に応じて設定する。例えば、現在時刻が、７時４０分であるとすると、表示先頭時刻を、現在時刻以前の切りの良い時刻である７時或いは、７時３０分に設定する。そして、ＣＰＵ１７は、ＥＰＧ表示用データをディスプレイプロセッサ９へ供給する。ディスプレイプロセッサ９は、ＣＰＵ１７からの切換指示に基づいて、ビデオデコーダ８からの番組映像データとＥＰＧ表示用データとを切り換え、または番組データ上にＥＰＧ表示用データおよび、上記座標データを重畳し、映像信号としてディスプレイ２２へ出力する。こうして、図６(Ａ)に示すように、ＥＰＧ画面５０が表示されることになる。図６（Ａ）の例では、番組表の表示先頭時刻５２ａが、７時３０分となっている。
【００５６】
次に、ＣＰＵ１７は、放送番組検索手段として機能し、ＲＡＭ１６を参照して、現在時刻が放送時間内に含まれる番組を検索する（ステップＳ２）。但し、現在時刻と終了時刻が一致する番組は、かかる検索対象の番組から除外される。ここで、検索対象となる番組は、現在、ＥＰＧ画面５０中に表示されているチャンネルの番組に限られない。例えば、チャンネルが、チャンネル１（１ch）〜チャンネル１００（100ch）あるとした場合、検索対象となるのは、図６（Ａ）の例で、ＥＰＧ画面５０中に表示されているチャンネル１（１ch）〜チャンネル４（４ch）の番組（斜線で示す番組セル５１ａ）ばかりでなく、チャンネル５（５ch）〜チャンネル１００（100ch）までの番組も含まれる。
【００５７】
次に、ＣＰＵ１７は、最早終了時刻記憶手段として機能し、ＲＡＭ１６を参照して、検索された番組のうち、最も早く終了する番組の終了時刻を最早終了時刻として、ＲＡＭ１６に記憶する（ステップＳ３）。図７は、ＲＡＭ１６に記憶された情報のうち、番組表の表示先頭時刻５２ａが放送時間内に含まれるチャンネル１（１ch）〜チャンネル１００（100ch）までの番組開始時刻および終了時刻を示したものである。図７の例では、チャンネル１（１ch）の番組の終了時刻（７時４５分）が最も早いものとする。従って、ＣＰＵ１７は、チャンネル１（１ch）の番組の終了時刻を最早終了時刻としてＲＡＭ１６の所定の領域に記憶することになる。
【００５８】
次に、ＣＰＵ１７は、最早終了時刻判別手段として機能し、現在時刻が、記憶された最早終了時刻以上であるか否かを判別する（ステップＳ４）。つまり、現在時刻が最早終了時刻に一致したか、または現在時刻が最早終了時刻を超えたかを判別する。現在時刻が最早終了時刻以上でないと判別した場合（ステップＳ４：Ｎ）、ステップＳ５の処理に移行する。
【００５９】
ステップＳ５の処理では、リモコン１２の操作キーに応じた処理が行われる。例えば、ＣＰＵ１７は、カーソル移動キー７１〜７４の押下に応じて、カーソル５４を移動させたり、かかるカーソル５４の移動に伴って時間軸やチャンネル軸の表示内容を切り換えたりする。
【００６０】
そして、現在時刻が最早終了時刻以上であると判別された場合（ステップＳ４：Ｙ）、ＣＰＵ１７は、番組セル表示手段として機能し、表示先頭時刻５２ａを、記憶された最早終了時刻に変更して設定し（ステップＳ６）、ステップＳ７の処理を経て、当該最早終了時刻を表示先頭時刻５２ａとして番組セル５１ａを表示する（ステップＳ８）。
【００６１】
こうして、図６（Ｂ）に示すように、表示先頭時刻５２ａが、７時３０分から７時４５分に切り換えられることになる。その結果、現在時刻が放送時間に含まれる番組のうち、その開始時刻が現在時刻に最も近い番組の当該開始時刻が表示先頭時刻として表示されることになる。
【００６２】
ここで、ステップＳ７の処理では、ＣＰＵ１７は、表示先頭時刻５２ａが放送時間に含まれる番組の番組セル５１ａのうち、その時間軸方向の幅が番組情報を表示できない番組セル５１ａを検索する。ここで、検索対象となる番組は、ステップＳ２と同様、現在、ＥＰＧ画面５０中に表示されているチャンネルの番組に限られない。
【００６３】
図８（Ａ）は、番組情報を表示できない番組セル５１ａが含まれる場合のＥＰＧ画面の一例を示す図である。図８（Ａ）に示すように、チャンネル１（１ch）およびチャンネル３（３ch）の番組の番組セル５１ａは、時間軸方向の幅が短いために、セル内に番組情報を表示できない状態になっている。ＣＰＵ１７は、このような番組セル５１ａを、ステップＳ７の処理で検索することになる。
【００６４】
そして、ＣＰＵ１７は、ステップＳ８の処理にて、変更された表示先頭時刻５２ａを先頭として番組セル５１ａを表示するとともに、上記検索された番組情報を表示できない番組セル５１ａの時間軸方向の幅を調整する。
【００６５】
例えば、ＣＰＵ１７は、検索された番組セル５１ａ内に番組情報が表示可能となるように、番組セル５１ａの時間軸方向の幅を広げる。図８（Ｂ）は、番組セル５１ａの時間軸方向の幅の調整後のＥＰＧ画面の一例を示す図である。図８（Ｂ）に示すように、かかる調整により、チャンネル１（１ch）およびチャンネル３（3ch）の番組の番組セル５１ａの時間軸方向の幅が広げられ、セル内に番組情報が表示できるようになっている。なお、これに伴い、番組情報を表示できる番組セル５１ａ（例えば、図８（Ａ）に示すチャンネル２（２ch）およびチャンネル４（４ch）の番組の番組セル５１ａ）の時間軸方向の幅についても、図８（Ｂ）に示すように、広がることになる。
【００６６】
なお、番組セル５１ａの時間軸方向の幅を広げる場合、番組表の時間軸方向の幅（番組表の高さ）、文字サイズ、行間隔等が固定されている場合は、時間帯表示エリア５２における末尾の時刻を、上記広げた幅に相当する時間分繰り上げることになる。但し、ＥＰＧ画面５０の時間軸方向の表示幅に余裕がある場合には、上記広げた幅に相当する時間分延長して表示するように構成してもよい。
【００６７】
また、ＥＰＧ画面５０の時間軸方向の幅を変えずに、ＥＰＧ画面５０内の内容（文字等）を時間軸方向に圧縮して表示するように構成してもよい。
【００６８】
また、ステップＳ７の処理にて、番組情報を表示できない番組セル５１ａが検索されない場合には、番組セル５１ａの時間軸方向の幅の調整は行わないことはいうまでもない。
【００６９】
以上説明したように上記第１実施形態によれば、既に放送が終了した番組の番組セルは番組表に表示されず、当該番組の番組セルによりＥＰＧ画面５０の限られた表示領域の相当な部分が占められることがなくなるので、ユーザの視認性、利便性を向上させることができる。
【００７０】
また、表示先頭時刻５２ａが放送時間に含まれる番組の番組セル５１ａのうち、その時間軸方向の幅が番組情報を表示できない番組セル５１ａがある場合には、その番組セル５１ａの時間軸方向の幅の調整することにより、セル内に番組情報を表示することができるようになるので、より一層、ユーザの視認性、利便性を向上させることができる。
【００７１】
また、例えば、現在時刻が７時で、リモコン１２のカーソル移動キー７１〜７４の操作により時間帯表示エリア５２における時間帯が１時〜３時までを表示していた場合にも、現在時刻が最早終了時刻以上になると自動的に時間帯表示エリア５２における時間帯が現在時刻を含むものに切り換わるという利点もある。
【００７２】
なお、上記ステップＳ１に示すＥＰＧ画面表示処理において、ＥＰＧ表示用データを作成するとき、例えば、現在時刻が、７時４０分であるとすると、表示先頭時刻を、現在時刻以前の切りの良い時刻である７時或いは、７時３０分に設定するように構成したが、別の方法として、表示先頭時刻を、現在時刻に設定するように構成してもよい。このように構成すれば、リモコン１２のＥＰＧキー６１が押下された後に、最初に表示されるＥＰＧ画面５０における番組表においても、既に放送が終了した番組の番組セルの表示を防止することができる。
【００７３】
また、上記ステップＳ１に示すＥＰＧ画面表示処理において、ステップＳ７およびＳ８の処理と同様、表示先頭時刻５２ａが放送時間に含まれる番組の番組セル５１ａのうち、その時間軸方向の幅が番組情報を表示できない番組セル５１ａを検索し、当該検索された番組セルの時間軸方向の幅を調整するように構成してもよい。
（第２実施形態）
図９は、第２実施形態におけるＣＰＵ１７のＥＰＧ画面の表示処理を示すフローチャートである。図１０および図１１は、図９に示す表示処理によって表示されるＥＰＧ画面の一例を示す図である。
【００７４】
先ず、ステップＳ１１に示すＥＰＧ表示処理（詳細は、第１実施形態と同様）において、図１０（Ａ）に示すＥＰＧ画面５０が表示されるものとする。図１０（Ａ）の例では、チャンネル１（１ch）〜チャンネル４（４ch）の何れの番組も長時間番組であり、７時３０分〜１０時２９分の間に番組の終了時刻が到達しないものになっている（チャンネル５（５ch）以降の番組も同様）。
【００７５】
次に、ＣＰＵ１７は、図５に示すステップＳ２の処理と同様、ＲＡＭ１６を参照して、現在時刻が放送時間内に含まれる番組を検索する（ステップＳ１２）。但し、現在時刻と終了時刻が一致する番組は、かかる検索対象の番組から除外される。ここで、検索対象となる番組は、現在、ＥＰＧ画面５０中に表示されているチャンネルの番組に限られないことは、第１実施形態と同様である。
【００７６】
次に、ＣＰＵ１７は、図５に示すステップＳ３の処理と同様、ＲＡＭ１６を参照して、検索された番組のうち、最も早く終了する番組の終了時刻を最早終了時刻として、ＲＡＭ１６に記憶する（ステップＳ１３）。例えば、ここでは、最も早く終了する番組がチャンネル１（１ch）の番組であって、その終了時刻が１０時３０分とする。つまり、図１０（Ａ）に示すように、最早終了時刻が番組表内には、現れないことになる。
【００７７】
そして、ＣＰＵ１７は、図５に示すステップＳ４の処理と同様、現在時刻が、記憶された最早終了時刻以上であるか否かを判別する（ステップＳ１４）。現在時刻が最早終了時刻以上でないと判別した場合（ステップＳ４：Ｎ）、ステップＳ１５の処理に移行する。
【００７８】
ここで、図５に示す表示処理では、図１０（Ａ）に示すような場合、現在時刻が１０時３０分になるまで、その先の番組の内容を見ることができないという不都合を生じることになる。しかしながら、図９に示す表示処理では、ステップＳ１６およびステップＳ１７により、このような不都合を解消することができる。
【００７９】
即ち、ＣＰＵ１７は、表示先頭時刻判別手段として機能し、ステップＳ１６にて、表示先頭時刻５２ａが現在時刻より所定時間（例えば、２時間）以上過去であるか否かを判別する。表示先頭時刻５２ａが現在時刻より所定時間以上過去でないと判別された場合には（ステップＳ１６：Ｎ）、ステップＳ１４に戻る。
【００８０】
一方、所定時間以上過去であると判別された場合（ステップＳ１６：Ｙ）には、ＣＰＵ１７は、表示先頭時刻５２ａを所定時間（例えば、２時間）進めて番組セル５１ａを表示する（ステップＳ１７）。これにより、ステップＳ１４において、現在時刻が、最早終了時刻以上でないと判別される前にも、図１０（Ｂ）に示すように、表示先頭時刻５２ａを適切に切り換えることができる。
【００８１】
そして、ステップＳ１４において、現在時刻が最早終了時刻以上であると判別した場合（ステップＳ１４：Ｙ）、ＣＰＵ１７は、表示先頭時刻５２ａを、記憶された最早終了時刻に変更して設定し（ステップＳ１８）、表示先頭時刻５２ａが放送時間に含まれる番組の番組セル５１ａのうち、その時間軸方向の幅が番組情報を表示できない番組セル５１ａを検索する（ステップＳ１９）。次に、ＣＰＵ１７は、変更された表示先頭時刻５２ａを先頭として番組セル５１ａを表示するとともに、上記検索された番組情報を表示できない番組セル５１ａの時間軸方向の幅を調整する（ステップＳ２０）。
【００８２】
こうして、図１１に示すように、表示先頭時刻５２ａが１０時３０分として表示されることになる。なお、番組セル５１ａの時間軸方向の幅の調整については、第１実施形態と同様である。
【００８３】
以上説明したように第２実施形態によれば、上記第１実施形態における効果に加え、表示先頭時刻５２ａと最早終了時刻との時間差が大きい場合にも、適宜、表示先頭時刻５２ａを進めることができるので、より一層、ユーザの視認性、利便性を向上させることができる。
【００８４】
なお、上記第１および第２実施形態における、図５に示すステップＳ１およびステップＳ７の処理、並びに図９に示すステップＳ１２およびステップＳ１９の処理において検索対象となる番組は、現在、ＥＰＧ画面５０中に表示されているチャンネルの番組に限られず、全てのチャンネルの番組を対象としたが、これとは別に、検索対象となる番組を、現在、ＥＰＧ画面５０中に表示されているチャンネルの番組に限るように構成してもよい。また、所定範囲、例えば、全１００チャンネルあるうち、１〜２０チャンネル分に限るように構成してもよい。このように構成すれば、ＣＰＵ１７の処理負担を軽減することができる。
【００８５】
また、上記第１および第２実施形態においては、ＣＰＵ１７（番組セル表示手段）により行われる番組セル５１ａの時間軸方向の幅の調整として、番組セル５１ａの時間軸方向の幅を広げるように構成したが、これに限定されるものではなく、例えば、番組セル５１ａ内の文字の時間軸方向の圧縮、フォントを小さくなどにより番組セル５１ａ内に番組情報を表示できるようにする全ての方法が含まれる。
【００８６】
【発明の効果】
以上説明したように本発明によれば、現在時刻が最早終了時刻以上であると判別された場合には、最早終了時刻を番組表の表示先頭時刻として番組セルを表示するように構成したので、既に放送が終了した番組の番組セルは番組表に表示されず、当該番組の番組セルにより番組表の限られた表示領域の相当な部分が占められることがなくなるので、ユーザの視認性、利便性を向上させることができる。
【００８７】
また、表示先頭時刻が放送時間に含まれる番組の番組セルのうち、その時間軸方向の幅が番組情報を表示できない番組セルがある場合にも、その番組セルの時間軸方向の幅の調整することにより、セル内に番組情報を表示することができるようになるので、より一層、ユーザの視認性、利便性を向上させることができる。
【００８８】
また、表示先頭時刻と最早終了時刻との時間差が大きい場合にも、適宜、表示先頭時刻を進めることができるので、より一層、ユーザの視認性、利便性を向上させることができる。
【図面の簡単な説明】
【図１】本発明の一実施形態にかかる衛星ディジタル放送受信機の構成を示す図である。
【図２】ＥＰＧ表示データの元になるデータとして衛星から送信されるディジタル信号のデータ形式を概略的に示す図である。
【図３】本実施形態におけるＥＰＧ画面例を示す図である。
【図４】受信機１と共に使用されるリモコン１２に配置された各種操作キーを示す図である。
【図５】第１実施形態におけるＣＰＵ１７のＥＰＧ画面の表示処理を示すフローチャートである。
【図６】図５に示す表示処理によって表示されるＥＰＧ画面の一例を示す図である。
【図７】ＲＡＭ１６に記憶された情報のうち、番組表の表示先頭時刻５２ａが放送時間内に含まれるチャンネル１（１ch）〜チャンネル１００（100ch）までの番組の開始時刻および終了時刻を示す図である。
【図８】（Ａ）は、番組情報を表示できない番組セル５１ａが含まれる場合のＥＰＧ画面の一例を示す図である。（Ｂ）は、番組セル５１ａの時間軸方向の幅の調整後のＥＰＧ画面の一例を示す図である。
【図９】第２実施形態におけるＣＰＵ１７のＥＰＧ画面の表示処理を示すフローチャートである。
【図１０】図９に示す表示処理によって表示されるＥＰＧ画面の一例を示す図である。
【図１１】図９に示す表示処理によって表示されるＥＰＧ画面の一例を示す図である。
【図１２】従来のＥＰＧ画面例を示す図である。
【図１３】時間軸方向の表示単位を１分とした場合のＥＰＧ画面例を示す図である。
【符号の説明】
１  ディジタル放送受信機
２  バス
３  アンテナ
４  チューナ
５  復調処理部
６  デマルチプレクサ
７  限定受信処理部
８  ビデオデコーダ
９  ディスプレイプロセッサ
１０  オーディオデコーダ
１１  音声処理部
１２  リモコン
１３  インターフェース
１４  フラッシュメモリ
１５  ＲＯＭ
１６  ＲＡＭ
１７  ＣＰＵ
１８  モデム
２１  スピーカ
２２  ディスプレイ
５０  ＥＰＧ画面
５１  番組表表示エリア
５１ａ  番組セル
５１ｂ  番組開始時刻
５１ｃ  継続マーク
５２  時間帯表示エリア
５２ａ  表示先頭時刻
５３  チャンネル帯表示エリア
５４  カーソル
【図１】
0003960788.tif 000002
【図２】
0003960788.tif 000003
【図３】
0003960788.tif 000004
【図４】
0003960788.tif 000005
【図５】
0003960788.tif 000006
【図６】
0003960788.tif 000007
【図７】
0003960788.tif 000008
【図８】
0003960788.tif 000009
【図９】
0003960788.tif 000010
【図１０】
0003960788.tif 000011
【図１１】
0003960788.tif 000012
【図１２】
0003960788.tif 000013
【図１３】
0003960788.tif 000014